(57)【要約】【課題】  製造コストの上昇を抑制した火薬式くす玉を提供する。【解決手段】  接合部５、６で接合される左右一対の分割容器１、２と、分割容器１、２を分割させるために引っ張り操作される引紐３と、分割容器内に延びる引紐３の一端部に設けられた火薬体３０と、引紐３の引っ張り操作の際に火薬体３０を係止する座部１４と、接合部５、６を接合状態に保持する保持手段１３ａ、１３ｂとを備え、引紐３が引っ張り操作されて火薬体３０が爆発し、その爆発力で保持手段１３ａ、１３ｂによる接合部５、６の接合状態が解除されて分割容器１、２が分割される。【選択図】  図２
2005312516.tif 000002
【特許請求の範囲】
【請求項１】
接合部（５、６）で接合される左右一対の分割容器（１、２）と、分割容器（１、２）を分割させるために引っ張り操作される引紐（３）と、分割容器内に延びる引紐（３）の一端部に設けられた火薬体（３０）と、引紐（３）の引っ張り操作の際に火薬体（３０）を係止する座部（１４）と、接合部（５、６）を接合状態に保持する保持手段（１３ａ、１３ｂ）とを備え、
引紐（３）が引っ張り操作されて火薬体（３０）が爆発し、その爆発力で保持手段（１３ａ、１３ｂ）による接合部（５、６）の接合状態が解除されて分割容器（１、２）が分割することを特徴とする火薬式くす玉。
【請求項２】
座部（１４）が分割容器に成形により一体に設けられている請求項１に記載の火薬式くす玉。
【請求項３】
座部（１４）は接合部（５、６）の接合方向に突設された一対の突起（１４ａ、１４ａ）から構成され、火薬体（３０）は両突起（１４ａ、１４ａ）の内面に係止され、引紐（３）は両突起（１４ａ、１４ａ）間の隙間（１５）を介して分割容器（１、２）の外部に延出する請求項１に記載の火薬式くす玉。
【請求項４】
分割容器（１、２）の内部には、内容物（７）を収容する内容物収容室（１６）と火薬体（３０）を収容する火薬室（１０）とが設けられ、両分割容器（１、２）にそれぞれ設けられて分割容器（１、２）の接合によって互いに接合する一対の隔壁（１１ａ、１１ｂ）により、火薬室（１０）は内容物収容室（１６）と区画されている請求項１に記載の火薬式くす玉。
【請求項５】
座部（１４）は接合部（５、６）の接合方向に突設された一対の突起（１４ａ、１４ａ）から構成され、火薬体（３０）は両突起（１４ａ、１４ａ）の内面に係止され、引紐（３）は両突起間の隙間（１５）を介して分割容器（１、２）の外部に延出するようになっており、分割容器（１、２）の内部には、内容物（７）を収容する内容物収容室（１６）と火薬体（３０）を収容する火薬室（１０）とが設けられ、両分割容器（１、２）にそれぞれ設けられて分割容器（１、２）の接合によって互いに接合する一対の隔壁（１１ａ、１１ｂ）により、火薬室（１０）は内容物収容室（１６）と区画されている請求項１に記載の火薬式くす玉。
【発明の詳細な説明】
【技術分野】
【０００１】
本発明は、火薬の爆発と同時に分割する火薬式くす玉に関する。
【背景技術】
【０００２】
従来、下記特許文献１のように、一対の分割容器を分割開口すると同時に火薬を爆発させるようにした火薬式くす玉がある。この火薬式くす玉は、分割容器の内部にクラッカーを配置して、火薬式くす玉開口用の引紐と、クラッカーを爆発させるための引紐とを兼用することにより、火薬式くす玉の分割開口時の爆発音により観者の注意を引きつけるようにしている。
【特許文献１】実開平５−３３８００号公報
【発明の開示】
【発明が解決しようとする課題】
【０００３】
しかしながら、火薬式くす玉の内部にクラッカーを配置する場合、クラッカーを固定するための部材及びクラッカー自体が必要になる。そのため、クラッカーの原材料費及びクラッカーを配置するための製造工程が必要となり、火薬式くす玉の製造コストが上昇するという問題があった。
【０００４】
本発明は、上記問題に鑑みて、製造コストの上昇を抑制した火薬式くす玉を提供することを課題とする。
【課題を解決するための手段】
【０００５】
本発明は、上記課題を解決すべくなされたものであり、本発明に係る火薬式くす玉は、接合部で接合される左右一対の分割容器と、分割容器を分割させるために引っ張り操作される引紐と、分割容器内に延びる引紐の一端部に設けられた火薬体と、引紐の引っ張り操作の際に火薬体を係止する座部と、接合部を接合状態に保持する保持手段とを備え、引紐が引っ張り操作されて火薬体が爆発し、その爆発力で保持手段による接合部の接合状態が解除されて分割容器が分割することを特徴とする。
【０００６】
該構成の火薬式くす玉にあっては、分割容器を分割させる引紐の一端部に火薬体が設けられている。この火薬体は、引紐の引っ張り操作の際に座部により係止されることで引紐が火薬体から引き出されて生じる摩擦で爆発する。そして、この爆発による爆発力が保持手段を解除するので、接合された分割容器を分割することができる。
【０００７】
特に、座部が分割容器に成形により一体に設けられていることが好ましく、座部を別体に成形する構成に比して、火薬式くす玉を製作し易い。
【０００８】
また、座部は接合部の接合方向に突設された一対の突起から構成され、火薬体は両突起の内面に係止され、引紐は両突起間の隙間を介して分割容器の外部に延出しているので、両突起の間に引紐を掛け入れるだけで火薬体を取り付けることができ、火薬式くす玉への引紐の取り付け作業を簡単にすることができる。
【０００９】
また、分割容器の内部には、内容物を収容する内容物収容室と火薬体を収容する火薬室とが設けられ、両分割容器にそれぞれ設けられて分割容器の接合によって互いに接合する一対の隔壁により、火薬室は内容物収容室と区画されている。このように、火薬体を収容する火薬室が内容物収容室と区画されているので、仕切られた火薬室に火薬体の爆発力が集中して働くことで分割容器が分割し易くなる。そのため、分割容器を分割させるための火薬体の火薬の量を少なくできる。
【００１０】
また、座部は接合部の接合方向に突設された一対の突起から構成され、火薬体は両突起の内面に係止され、引紐は両突起間の隙間を介して分割容器の外部に延出するようになっており、分割容器の内部には、内容物を収容する内容物収容室と火薬体を収容する火薬室とが設けられ、両分割容器にそれぞれ設けられて分割容器の接合によって互いに接合する一対の隔壁により、火薬室は内容物収容室と区画されている。
【００１１】
これにより、両突起の間に引紐を掛入するだけで火薬体を取り付けることができ、火薬式くす玉への引紐の取り付け作業が良い。しかも、火薬体を収容する火薬室が内容物収容室と区画されているので、仕切られた火薬室の内部に火薬体の爆発力が集中して働くことになり、火薬体の火薬の量を少なくできる。さらに、火薬室が接合部に近接しているので火薬体の爆発力が接合部に効果的に作用する。
【発明の効果】
【００１２】
本発明は、引紐の引っ張り操作により火薬体を座部で係止して爆発させ、この火薬体の爆発力で保持手段による接合部の接合状態が解除され、分割容器が分割する。このように、火薬式くす玉は、その内部にクラッカーを配置することなく火薬体を爆発させる構成になっており、この爆発力により火薬式くす玉が開口する。
【発明を実施するための最良の形態】
【００１３】
以下、本発明の一実施形態に係る火薬式くす玉について、図面を参酌しつつ説明する。図１は火薬式くす玉の分割開口前の状態を示しており、図２は火薬式くす玉の分割開口後の状態を示している。図１、図２に示すように、火薬式くす玉は接合されたときに略球形状となり、分割開口時には球形の中心で左右に分割される構成になっている。なお、図１の上下の矢印は火薬式くす玉の配置状態における方向を示している。
【００１４】
火薬式くす玉は、接合される凸側分割容器１及び凹側分割容器２と、両分割容器１、２を分割させるために引っ張り操作される引紐３（図１参照）と、両分割容器１、２をそれぞれ吊り下げる吊紐４と、両分割容器１、２の分割開口時に外部に露出されるテープ、吹雪、垂れ幕等から構成される内容物７とを備えている。凸側分割容器１は凸側接合部５を備えており、凹側分割容器２は凹側接合部６を備えている。両接合部５、６は、両分割容器１、２の分割位置である円周上に成形されている。両接合部５、６は、互いに凹凸嵌合して接合するように構成されている。両分割容器１、２の接合により、内部に内容物７を収容する内容物収容室１６が形成される。なお、両分割容器１、２はプラスチックの射出成形により成形される。
【００１５】
図３に示すように、引紐３は火薬体３０を一端部に有している。火薬体３０は他端側の引紐３の引っ張り操作により火薬体との間で生じる摩擦熱により爆発するようになっている。
【００１６】
図４（イ）、（ロ）に示すように、凸側分割容器１は、凹側分割容器２と接合する凸側接合部５と、分割開口時に両分割容器１、２が外れないように連結支持する支持部８と、凸側分割容器１に成形された穴部９と、内容物収容室１６と火薬室１０を区画するための凸側隔壁１１ａとを備えている。なお、火薬室１０は、火薬体３０が配置される空間である。
【００１７】
凸側接合部５は、凸側接合部５から凸側分割容器１の接合方向に向けて突設した内周壁部５ａを有している。内周壁部５ａは、内周壁部５ａから凸側分割容器１の接合方向に延びる座部１４と、内周壁部５ａの外周面から径方向内方に向けて窪ませた凹部１３ａとを有している。座部１４は、凸側分割容器１に成形により一体に設けられている。座部１４は、一対の突起１４ａ、１４ａにより構成されており、両突起１４ａの間には、火薬体３０を一対の突起１４ａ、１４ａの内面１４ｃに係止するとともに引紐３のみを通過可能とする隙間１５が設けられている。引紐３は、両突起１４ａ、１４ａ間の隙間１５を介して、両分割容器１、２の外部に延出している。前述した凹部１３ａは隙間１５から間隔をおいて設けられている。また、凹部１３ａは隙間１５を中心に対象となる位置にそれぞれ設けられている。また、凹部１３ａは、凹側分割容器２の接合方向の断面形状が略三角形状となる窪みであって、内周壁部５ａの外周側にそれぞれ内周壁部５ａの周方向に延びるように成形されている。なお、一対の突起１４ａ及び凹部１３ａは、火薬式くす玉を配置した状態において、下方側に配置される。
【００１８】
図５（イ）、（ロ）に示すように、凹側分割容器２は、凸側接合部５と接合する凹側接合部６と、分割開口時に両分割容器１、２同士が回転可能となるように連結支持する支持部８と、凹側分割容器２に成形された穴部９と、内容物収容室１６と火薬室１０を区画するための凹側隔壁１１ｂと、引紐３を通過可能とする大きさに成形された貫通部１７とを備えている。前述した隙間１５は貫通部１７の位置と重なる位置に設けられている。隙間１５に掛入された引紐３は貫通部１７の位置まで移動されて保持される。
【００１９】
凹側接合部６は、凸側分割容器１の内周壁部５ａと係合する係合部６ａを有している。係合部６ａは、内周壁部５ａに成形されている突起１４ａ及び凹部１３ａとそれぞれ係合するように構成されている。具体的に説明すると、係合部６ａは、突起１４ａと係合する係合凹部１４ｂと、凹部１３ａと凹凸嵌合する凸部１３ｂとを備えている。凸部１３ｂは係合凹部１４ｂの周方向の中心から前述の凹部１３ａの間隔と同じ間隔をおいて設けられている。また、凸部１３ｂは係合凹部１４ｂを中心にして対象となる位置にそれぞれ設けられている。さらに、凸部１３ｂは凸側分割容器１の接合方向の断面形状が頂点を有する形状で突出しており、係合部６ａの側壁にその周方向にそれぞれ延びるように突設されている。この凸部１３ｂは凹部１３ａの三角形状と係合する形状に成形されており、両分割容器１、２の接合時に接合方向と直交する方向で凹凸嵌合するようになっている。この凹凸嵌合により両接合部５、６の接合状態が保持される。このように凹部１３ａと凸部１３ｂとは、両分割容器１、２の保持手段として機能する。
【００２０】
上述したように両分割容器１、２は、支持部８と、穴部９と、火薬室１０を形成する両隔壁１１ａ、１１ｂとを備えている。支持部８は、両分割容器１、２を結合して配置した状態において、上部となる位置に突設されている。穴部９は、吊紐４を取り付けるために設けられている。具体的には、吊紐４を挿通させ、両分割容器１、２の内側から吊紐４の抜け止めを施すことで、両分割容器１、２を保持するように設けられている。穴部９は、両分割容器１、２の中心（両接合部５、６の円の中心を結ぶ軸線方向）にそれぞれ成形されている。なお、穴部９は、両分割容器１、２の中心より上部（両分割容器１、２接合時における上側）に成形されていても良く、このように成形されていると火薬式くす玉の下方側が重くなり、引紐３の位置が下部に移動し易いので良い。
【００２１】
両隔壁１１ａ、１１ｂは、両分割容器１、２の接合によって互いに接合されて、閉塞された火薬室１０が形成される。両隔壁１１ａ、１１ｂは、座部１４がある位置に設けられている。この座部１４の両突起１４ａに火薬体３０が配置されることで火薬体３０は火薬室１０に収容される。凸側隔壁１１ａは、凸側隔壁接合部１２を有しており、凹側隔壁１１ｂは、凹側隔壁接合部１８を有している。両隔壁接合部１２、１８は互いに凹凸嵌合するように構成されている。具体的には、凸側隔壁接合部１２は、外周側の陥部１２ａと内周側の突部１２ｂとを有しており、凹側隔壁接合部１８は、外周側の突部１８ａと内周側の陥部１８ｂとを有している。両隔壁接合部１２、１８は、外周側の陥部１２ａ及び突部１８ａ並びに内周側の突部１２ｂ及び陥部１８ｂとが凹凸嵌合するようになっている。そして、この凹凸嵌合により両隔壁１１ａ、１１ｂは、接合される。
【００２２】
また、図４、図５に示すように、両隔壁接合部１２、１８は、それぞれＵ形状に成形されている。両隔壁１１ａ、１１ｂは、このＵ字形状のままで両分割容器１、２の接合方向に平行に延びるように成形されている。このＵ字形状の曲線部分の中心から突起１４ａの内面１４ｃまでの高さは火薬体３０の長さ以上に成形されている。
【００２３】
さらに、両隔壁１１ａ、１１ｂは、支持部８に対して火薬式くす玉の球の中心を通過する対象な位置に設けられている。また、両隔壁１１ａ、１１ｂは、火薬式くす玉の球の中心から離れた両分割容器１、２の内周面をそれぞれ略等しい範囲だけ覆うように設けられている。そのため火薬式くす玉は、両隔壁１１ａ、１１ｂのある位置が偏って重くなる。そして、火薬式くす玉を吊紐４で吊したときに両隔壁１１ａ、１１ｂのある位置が穴部９の位置で回転して下方に移動し易くなる。これにより、両分割容器１、２を接合して形成した火薬式くす玉を配置した状態では、上部に支持部８が配置され、支持部８に対して対象な下側の位置に両隔壁１１ａ、１１ｂが配置され易い。なお、両隔壁１１ａ、１１ｂは、両分割容器１、２と一体に成形されていても良いし、両隔壁１１ａ、１１ｂを別体で成形してから両分割容器１、２に取り付ける構成にしても良い。
【００２４】
次に、両隔壁１１ａ、１１ｂの内部の火薬室１０に火薬体３０を配置する方法について図６（イ）、（ロ）及び図７（イ）、（ロ）を用いて説明する。なお、図６（イ）は凸側隔壁接合部１２の部分拡大図であり、（ロ）は凹側隔壁接合部１８の部分拡大図である。また、図７（イ）は、両分割容器１、２の接合前の図６（イ）、（ロ）の状態を示すＡ矢視図であり、図７（ロ）は、図６（ハ）の両分割容器１、２の接合後の状態を示すＡ矢視図である。火薬体３０は、図６（イ）に示すように隙間１５へ引紐３が掛入されて突起１４ａの内面１４ｃに保持される。このとき引紐３を隙間１５の終端（図７（イ）参照）まで移動させる。この終端の位置は、両分割容器１、２を接合したときの貫通部１７の位置と一致する（図７（ロ）参照）。
【００２５】
以上説明したように、火薬体３０は、引紐３の引っ張り操作の際に座部１４により係止されることで引紐３が火薬体３０から引き出されて生じる摩擦で爆発する。そして、この爆発による爆発力が凹部１３ａと凸部１３ｂとの凹凸嵌合を外すので、接合された両分割容器１、２を分割することができる。即ち、引紐３の引っ張り操作により火薬体が爆発し、この爆発により火薬式くす玉を分割開口することができる。
【００２６】
特に、座部１４が凸側分割容器１に成形により一体に設けられているので、火薬式くす玉を製作し易い。
【００２７】
また、火薬体３０は両突起１４ａ、１４ａの内面１４ｃに係止され、引紐３は両突起１４ａ、１４ａ間の隙間１５を介して両分割容器１、２の外部に延出しているので、両突起１４ａ、１４ａの間に引紐３を掛入するだけで火薬体３０を取り付けることができ、火薬式くす玉への引紐３の取り付け作業を簡単にすることができる。また、このように突起１４ａがあるため、爆発力が火薬式くす玉の外側（引紐３の抜き方向）に伝わり難く、使用者が安全に火薬式くす玉を使用できる。
【００２８】
また、分割容器１、２にそれぞれ設けられて分割容器の接合によって互いに接合する一対の隔壁１１ａ、１１ｂにより、火薬室１０は内容物収容室１６と区画されている。このように、火薬体３０を収容する火薬室１０が内容物収容室１６と区画されているので、仕切られた火薬室１０に火薬体３０の爆発力が集中して働くことで両分割容器１、２が分割し易くなる。そのため、火薬式くす玉を分割させるための火薬体３０の火薬の量を少なくできる。さらに、両隔壁１１ａ、１１ｂが、内容物収容室１６への火薬体３０の爆発力を遮断することになり、テープ、吹雪、垂れ幕等の内容物７への爆発の影響が少ない。
【００２９】
しかも、両隔壁１１ａ、１１ｂが、両分割容器１、２の内壁にそれぞれ略等しい範囲だけ覆うように設けられているため、両隔壁１１ａ、１１ｂのある位置が偏って重くなる。そのため火薬式くす玉を吊紐４で吊したときに両隔壁１１ａ、１１ｂのある位置が下方に向けて穴部９を中心に回転移動し易くなる。この両隔壁１１ａ、１１ｂには、座部１４が成形されており、火薬式くす玉を配置したときに下方側に引紐３の他端側がある状態になり易く、使用者にとって使いやすい。
【００３０】
さらに、両隔壁１１ａ、１１ｂは、両隔壁接合部１２、１８のＵ字形状のままで両分割容器１、２の接合方向に平行に延びる形状で成形されている。両隔壁１１ａ、１１ｂをこのような形状に成形すれば、成形金型から離型できないような凹形状のアンダーカットがなく、アンダーカット用の金型を作る必要がない。
【００３１】
また、両分割容器１、２は、両分割容器１、２の中心にそれぞれ吊紐４を配置して吊す構成であるため、引紐３を隙間１５に配置して、両分割容器１、２を接合すると、引紐３の引っ張り操作だけで両分割容器１、２の穴部９の位置が左右に引っ張られて、両分割容器１、２を分割開口させることもできる。このように、火薬式くす玉使用後も再度使用することができる。もちろん、凹部１３ａと凸部１３ｂとが凹凸嵌合するので、粘着テープなどの部材を使用することなく、両分割容器１、２の接合状態を保持できる。
【００３２】
なお、本発明の一実施形態に係る火薬式くす玉は上記実施形態に限定されるものではなく、本発明の要旨を逸脱しない範囲において種々の変更が可能である。例えば、本発明の一実施形態において、両隔壁１１ａ、１１ｂをＵ字形状のままで両分割容器１、２の接合方向に延びるように成形したが、これを多角形状のままで延びるように成形しても良い。また、火薬式くす玉の内部に両分割容器１、２の接合方向にそれぞれ延びる筒状の隔壁を成形しても良い。また、火薬式くす玉の外周壁に隔壁を成形しても良い。また、両接合部５、６に沿って隔壁をそれぞれ成形しても良い。
【００３３】
また、貫通部１７を凹側分割容器２に成形したが、凸側分割容器１に成形しても良い。
【００３４】
また、両分割容器１、２を、保持手段としての凹部１３ａと凸部１３ｂとで保持したが、これをテープを貼り付けることで保持するようにしても良い。
【００３５】
また、座部１４を一対の突起１４ａ、１４ａにより構成し、両突起の間に引紐３が掛入されるようにしたが、座部１４を両分割容器１、２の接合方向に延びる平板で構成し、この平板に前記接合方向と直交する方向に貫通する貫通穴が成形されていてもよい。このように座部１４が成形されていても成形した貫通穴に引紐３を挿入して火薬体３０を係止させることができる。
【図面の簡単な説明】
【００３６】
【図１】本発明の一実施形態に係る火薬式くす玉の平面図である。
【図２】図１の火薬式くす玉分割開口時の平面図である。
【図３】図１の引紐の平面図である。
【図４】図１の凸側分割容器であって、（イ）は凸側分割容器の平面図、（ロ）は（イ）の側面図である。
【図５】図１の凹側分割容器であって、（イ）は凹側分割容器の平面図、（ロ）は（イ）の側面図である。
【図６】図４、図５の両分割容器の部分拡大図であって、（イ）は凸側隔壁接合部の部分拡大図、（ロ）は凹側隔壁接合部の部分拡大図である。
【図７】（イ）は図６（イ）、（ロ）に示す分割容器の接合前の状態を示すＡ矢視図、（ロ）は、図６（イ）、（ロ）に示す分割容器の接合後の状態を示すＡ矢視図である。
【符号の説明】
【００３７】
１…凸側分割容器、２…凹側分割容器、３…引紐、４…吊紐、５…凸側接合部、５ａ…内周壁部、６…凹側接合部、６ａ…係合部、７…内容物、８…支持部、９…穴部、１０…火薬室、１１ａ…凸側隔壁、１１ｂ…凹側隔壁、１２…凸側隔壁接合部、１２ａ…陥部、１２ｂ…突部、１３ａ…凹部、１３ｂ…凸部、１４…座部、１４ａ…突起、１４ｂ…係合凹部、１４ｃ…内面、１５…隙間、１６…内部空間、１７…貫通部、１８…凹側隔壁接合部、１８ａ…突部、１８ｂ…陥部、３０…火薬体
【図１】
2005312516.tif 000003
【図２】
2005312516.tif 000004
【図３】
2005312516.tif 000005
【図４】
2005312516.tif 000006
【図５】
2005312516.tif 000007
【図６】
2005312516.tif 000008
【図７】
2005312516.tif 000009